(57)【要約】本発明は、効率的に液中の肝炎ウィルス又はヒト免疫不全ウィルス等を除去する多孔性中空糸及びウィルスの除去方法を提供することであり、特に、生体の血液に適用するにあたっては、体外に取り出す血液量や、血中有用成分の除去量が少なく、低い侵襲性で施術サイクルの短縮が可能な、肝炎ウィルス又はヒト免疫不全ウィルス等を除去する多孔性中空糸及びウィルスの除去方法を提供する。本発明の中空糸膜は、高いウィルス除去機能と有用な血漿成分を除去しない機能を有するモジュールとして利用が可能である。
2012115021.tif 000002
【特許請求の範囲】
【請求項１】
肝炎ウィルス又はヒト免疫不全ウィルス除去用多孔性中空糸であって、
該中空糸の平均流量孔径が、８０〜２３０ｎｍの範囲である肝炎ウィルス又はヒト免疫不全ウィルス除去用多孔性中空糸。
【請求項２】
請求項１の肝炎ウィルス又はヒト免疫不全ウィルス除去用多孔性中空糸において、平均流量孔径が８０〜１３０ｎｍの範囲である肝炎ウィルス除去用多孔性中空糸。
【請求項３】
請求項１の肝炎ウィルス又はヒト免疫不全ウィルス除去用多孔性中空糸において、平均流量孔径が１１０〜２３０ｎｍの範囲であるヒト免疫不全ウィルス除去用多孔性中空糸。
【請求項４】
肝炎ウィルス又はヒト免疫不全ウィルス除去用多孔性中空糸が、ポリオレフィン、ポリエーテルスルホン、又はセルロース混合エステルから構成されるものである請求項１〜３の何れに記載の肝炎ウィルス又はヒト免疫不全ウィルス除去用多孔性中空糸。
【請求項５】
ポリオレフィンが、ポリエチレン、ポリプロピレン、又はポリ４−メチルペンテンである請求項４に記載の肝炎ウィルス又はヒト免疫不全ウィルス除去用多孔性中空糸。
【請求項６】
表面が親水性樹脂でコートされたものである請求項１〜５の何れに記載の肝炎ウィルス又はヒト免疫不全ウィルス除去用多孔性中空糸。
【請求項７】
親水性樹脂が、エチレン−ビニルアルコール共重合体、エチレン-アクリル酸共重合体、ポリビニルアルコール、ＭＰＣポリマーである請求項６に記載の肝炎ウィルス又はヒト免疫不全ウィルス除去用多孔性中空糸。
【請求項８】
内径が、１５０〜４００μｍの範囲である請求項１〜７の何れかに記載の肝炎ウィルス又はヒト免疫不全ウィルス除去用多孔性中空糸。
【請求項９】
膜厚が４０〜７０μｍの範囲である請求項１〜８の何れかに記載の肝炎ウィルス又はヒト免疫不全ウィルス除去用多孔性中空糸。
【請求項１０】
肝炎ウィルスが、Ｂ型又はＣ型肝炎ウィルスである、請求項１〜９の何れかに記載の肝炎ウィルス除去用多孔性中空糸。
【請求項１１】
請求項１〜１０の何れかに記載の肝炎ウィルス又はヒト免疫不全ウィルス除去用多孔性中空糸に、肝炎ウィルス又はヒト免疫不全ウィルスを含む液を通じることにより、肝炎ウィルス又はヒト免疫不全ウィルスを該多孔性中空糸で捕捉して、肝炎ウィルス又はヒト免疫不全ウィルスを含む液から肝炎ウィルス又はヒト免疫不全ウィルスを除去する方法。
【請求項１２】
肝炎ウィルス又はヒト免疫不全ウィルスを含む液を該中空糸に通じることにより得られる、中空糸の有する孔を通過した液と、孔を通過しなかった液とを混合する工程を有する、請求項１１に記載の肝炎ウィルス又はヒト免疫不全ウィルスを除去する方法。
【請求項１３】
肝炎ウィルス又はヒト免疫不全ウィルスを含む液が、肝炎ウィルス又はヒト免疫不全ウィルスを含む血液である請求項１２に記載の肝炎ウィルス又はヒト免疫不全ウィルスを除去する方法。
【発明の詳細な説明】
【技術分野】
【０００１】
本発明は、肝炎ウィルス、又はヒト免疫不全ウィルス除去用多孔性中空糸、及びそれを用いたウィルスの除去方法に関する。
【背景技術】
【０００２】
Ｃ型肝炎はＣ型肝炎ウィルス（ＨＣＶ）の慢性的感染が原因であり、世界のＨＣＶ肝炎患者は、２００９年度において１．３から１．７億人と推定されている。Ｃ型肝炎の薬剤による治療法としてペグインターフェロン、リバビリンの併用療法が一般的である。ジェノタイプ１ｂかつ血液中のウィルス量の多い患者での治療成績は５０％程度であり、肝硬変や肝がんへの移行割合が高いことから、より有効な治療法や薬剤の開発が望まれている（非特許文献１）。【０００３】
一般的に薬剤による治療では血中のウィルス量が低い場合、治療成績が高いことが知られている。そこで、血液中のウィルスを除去する血液浄化療法と組み合わせることで治療成績を向上させることが出来るという報告がある（非特許文献２）。【０００４】
現在行われているＨＣＶの血液浄化療法は、まず一次膜（血漿分離膜）で血液中の血球と血漿を分離し、ＨＣＶが含まれている血漿を取り出す。
次に、取り出した血漿を二次膜（血漿分画膜）に通過させ、血漿中に含まれているＨＣＶを除去する療法である。除去する原理は、二次膜の孔径サイズをＨＣＶより小さくしておいて、ＨＣＶが通過できないようにしている。しかしこの除去方法では、血漿中にあるＨＣＶと同程度の大きさの有用成分、例えば脂質や免疫グロブリン、フィブリノーゲン等も一緒に除去してしまうため、患者への身体的負担が大きく、施術サイクルを短縮できないことから、血中のウィルス量を十分に低減できないことが問題となっていた。また、２本のモジュールを組み合わせているため、血液の体外循環量が多くなる上、回路構成は複雑で、治療には煩雑な操作が要求される。【０００５】
一方、ヒト免疫不全ウィルス（ＨＩＶ）は後天性免疫不全症候群（ＡＩＤＳ）の原因ウィルスであり、分類学上は、エンベロープを有し、プラス鎖の一本鎖ＲＮＡをゲノムとするレトロウィルス科レンチウィルス属に属する。形状は直径約１００ｎｍの球状で、膜の内側にはＲＮＡとＧＡＧタンパク質から成る核様体がある。ＨＩＶはヒトの免疫機能の発現誘導に重要なＣＤ４陽性Ｔ細胞に感染し、比較的長い潜伏期間を経て活性化し、該細胞を破壊する。ＣＤ４陽性Ｔ細胞が破壊されその数が低減すると免疫不全に陥り、その結果、日和見感染症に罹患したり、日和見腫瘍を発症する。現在、日本におけるＨＩＶ感染患者数はおよそ１万人、全世界では４０００万人程度と言われている。【０００６】
今日標準的に用いられている抗ＨＩＶ／ＡＩＤＳ治療法は、薬剤を３〜４種類の組み合わせ（ヌクレオシド系逆転写酵素阻害剤２剤＋プロテアーゼ阻害剤１〜２剤、またはヌクレオシド系逆転写酵素阻害剤２剤＋非ヌクレオシド系逆転写酵素阻害剤１剤）で使用するＨＡＡＲＴと呼ばれる多剤併用療法である。これによりＨＩＶ感染者の生命予後は著しく改善された。【０００７】
しかし、その一方で、ＡＩＤＳを根治することは未だ困難であり、また薬剤の使用には様々な薬物有害副作用を引き起こしたり、薬剤耐性株の出現を誘導してしまうという問題もある。特にＨＩＶは変異しやすいウィルスであるため、通常よりも容易に薬剤耐性を獲得しやすく、同じ理由から持続的に効果を発揮しうるワクチンを作製することも難しい。【０００８】
前記ＨＡＡＲＴを開始する時期の判断基準として、例えば血中ＨＩＶ濃度が１０５コピー／ｍＬ以上などといったものがあるが、血液浄化療法によって血中ＨＩＶ濃度を下げればＨＡＡＲＴ開始時期を遅らすことができる。即ち、薬を飲み始めたら生涯服薬し続けなくてはならないという患者負担が軽減されたり、耐性株の出現を遅らせたりすることができると期待されている。また、感染初期段階から薬剤と本療法とを併用すれば、より有害副反応の少ない薬剤で効果を得ることができるなど薬剤選択の幅が広がったり、抗ウィルス作用に相乗効果が現れるなどといったことが期待される。【０００９】
従来、ＨＩＶ除去用吸着材として、例えばＣＯＯＨ型の弱酸性固体物質などが知られていた（特許文献１）。しかし、これは主に粒状などの形態をとった前記物質をカラムに充填し、そこにＨＩＶ感染患者の血液等を通過させてウィルスを除去するといった装置を想定したものであり、乏しい線速とやがて血栓等による目詰まりを起こして閉塞するという問題があった。【００１０】
また、ＨＩＶを含めた生体高分子物質の細胞外体液からの捕獲を目的とした、カルボン酸など荷電可能な側鎖を有する吸着性粒子とそれにより構成される流動床についても開示されている（特許文献２）が、流動床を効果的に機能させるためには吸着性粒子を安定して上昇させるのに十分な細胞外体液の流速が必要であり、カラムの大きさによっては実施困難となる場合がある。
【先行技術文献】
【非特許文献】
【００１１】
【非特許文献１】ウィルス性肝炎−基礎・臨床研究の進歩−日本臨床６９巻増刊号４（２０１１）
【非特許文献２】K. Fujiwara et al. Hepatol. Res., 37, 701 (2007)
【特許文献】
【００１２】
【特許文献１】特許第２６３５３６５号公報
【特許文献２】特開２００９−５３６号公報
【発明の概要】
【発明が解決しようとする課題】
【００１３】
従来技術を鑑み、本発明が解決しようとする課題は、効率的に液中の肝炎ウィルス又はヒト免疫不全ウィルス等を除去する、多孔性中空糸である高分子基材、該基材を用いたウィルスの除去方法を提供することである。特に、生体の血液に適用するにあたっては、体外に取り出す血液量や、血中有用成分の除去量が少なく、低い侵襲性で施術サイクルの短縮が可能な、肝炎ウィルス又はヒト免疫不全ウィルス等を除去する多孔性中空糸及びウィルスの除去方法を提供することにある。
【課題を解決するための手段】
【００１４】
本発明者らは、上記課題を解決するために鋭意検討した結果、精密に制御された細孔径と、良好な水フラックスと、血液適合性の良い表面を有する多孔性中空糸に肝炎ウィルス又はヒト免疫不全ウィルスを含む液を通じることにより、または接触させることにより、肝炎ウィルス又はヒト免疫不全ウィルスを多孔性中空糸内部で捕捉して、肝炎ウィルス又はヒト免疫不全ウィルスを除去できる方法を見出した。【００１５】
即ち、本発明は、特定の構造である肝炎ウィルス又はヒト免疫不全ウィルス除去用多孔性中空糸、及びそれを用いた肝炎ウィルス又はヒト免疫不全ウィルス除去方法に関する。【００１６】
本発明の一形態によれば、多孔性中空糸は血漿分離膜としての機能とウィルスを膜内捕捉する機能の２つを有した中空糸であって、慢性肝炎患者や後天性免疫不全症候群患者の血液を体外に取り出して該中空糸に通じ、中空糸の有する孔を通過した血漿と、孔を通過しなかった血液を合せて返血することにより血液中の肝炎ウィルス又はヒト免疫不全ウィルスを除去する方法が提供される。
【発明の効果】
【００１７】
本発明によれば、目詰まりを起こすことなく血液等の体液を流すことができ、効率的に液中の肝炎ウィルス又はヒト免疫不全ウィルス等のウィルスを除去することが可能である。また、今回開発した中空糸膜を使用すれば、従来２本のモジュールで行われていた血液浄化療法を、１本のモジュールで行うことができる。その結果、回路構成は簡便になる他、有用な血漿成分を除去しないため、安全かつ患者の負担が大幅に軽減され、施術サイクルを短縮することで高いウィルス低減効果を実現できるモジュールとなる。
【図面の簡単な説明】
【００１８】
【図１】本発明の中空糸を備えてなる医療器具の一例を示す概略断面図である。
【発明を実施するための形態】
【００１９】
本発明は、以下の各要件で構成される。
１．肝炎ウィルス又はヒト免疫不全ウィルス除去用多孔性中空糸であって、
該中空糸の平均流量孔径が、８０〜２３０ｎｍの範囲である肝炎ウィルス、又はヒト免疫不全ウィルス除去用多孔性中空糸、
２．１．の肝炎ウィルス又はヒト免疫不全ウィルス除去用多孔性中空糸において、平均流量孔径が８０〜１３０ｎｍの範囲である肝炎ウィルス除去用多孔性中空糸、
３．１．の肝炎ウィルス又はヒト免疫不全ウィルス除去用多孔性中空糸において、平均流量孔径が１１０〜２３０ｎｍの範囲であるヒト免疫不全ウィルス除去用多孔性中空糸、
４．肝炎ウィルス又はヒト免疫不全ウィルス除去用多孔性中空糸が、ポリオレフィン、ポリエーテルスルホン、又はセルロース混合エステルから構成されるものである１．〜３．の何れに記載の肝炎ウィルス又はヒト免疫不全ウィルス除去用多孔性中空糸、
５．ポリオレフィンが、ポリエチレン、ポリプロピレン、又はポリ４−メチルペンテンである４．に記載の肝炎ウィルス又はヒト免疫不全ウィルス除去用多孔性中空糸、
６．表面が親水性樹脂でコートされたものである１．〜５．の何れに記載の肝炎ウィルス又はヒト免疫不全ウィルス除去用多孔性中空糸、
７．親水性樹脂が、エチレン−ビニルアルコール共重合体、エチレン-アクリル酸共重合体、ポリビニルアルコール、ＭＰＣポリマーである６．に記載の肝炎ウィルス又はヒト免疫不全ウィルス除去用多孔性中空糸、
８．内径が、１５０〜４００μｍの範囲である１．〜７．の何れかに記載の肝炎ウィルス又はヒト免疫不全ウィルス除去用多孔性中空糸、
９．膜厚が４０〜７０μｍの範囲である１．〜８．の何れかに記載の肝炎ウィルス又はヒト免疫不全ウィルス除去用多孔性中空糸、
１０．肝炎ウィルスが、Ｂ型又はＣ型肝炎ウィルスである、１．〜９．の何れかに記載の肝炎ウィルス除去用多孔性中空糸、
１１．１．〜１０．の何れかに記載の肝炎ウィルス又はヒト免疫不全ウィルス除去用多孔性中空糸に、肝炎ウィルス又はヒト免疫不全ウィルスを含む液を通じることにより、肝炎ウィルス又はヒト免疫不全ウィルスを該多孔性中空糸で捕捉して、肝炎ウィルス又はヒト免疫不全ウィルスを含む液から肝炎ウィルス又はヒト免疫不全ウィルスを除去する方法、
１２．肝炎ウィルス又はヒト免疫不全ウィルスを含む液を該中空糸に通じることにより得られる、中空糸の有する孔を通過した液と、孔を通過しなかった液とを混合する工程を有する、１１．に記載の肝炎ウィルス又はヒト免疫不全ウィルスを除去する方法、
１３．肝炎ウィルス又はヒト免疫不全ウィルスを含む液が、肝炎ウィルス又はヒト免疫不全ウィルスを含む血液である１２．に記載の肝炎ウィルス又はヒト免疫不全ウィルスを除去する方法。
【００２０】
本発明の実施の形態について具体的に説明する。
【００２１】
・基材の形状
本発明に用いられる高分子基材は、多孔性であって、ウィルスを含む液中のウィルスを捕捉し除去させうるものであれば制限はなく、公知慣用の中空糸状、平膜状、ビーズ状等を挙げることができるが、中空糸状、平膜状のものはウィルスを含む液を多孔内に強制的に通じることができるためより好ましい。更には、中空糸状のものは膜面積辺りの占有体積を小さくでき、ウィルス除去を効率的に行える点で特に好ましく用いることができる。中空糸の内径および膜厚、平膜の膜厚、ビーズの粒子径などは、液中からウィルスを除去する各目的に適した大きさを任意に選ぶことができるが、形状が中空糸状であって血液浄化療法に使用される場合、中空糸の内径は１００〜１０００μｍ、好ましくは１５０〜４００μｍ、より好ましくは１７０〜３５０μｍであり、膜厚は３０〜３００μｍ、好ましくは３０〜１００μｍ、より好ましくは４０〜７０μｍである。内径や膜厚が当該範囲よりも大きい場合、大きな中空糸モジュールの内表面積を得ることができず血漿分離能が不十分となる。
【００２２】
一方、内径が当該範囲よりも小さい場合、血漿成分透過性が不安定になったり、モジュール端部で血栓ができやすくなる等の問題が生ずる。また、膜厚が当該範囲よりも小さい場合は、中空糸の十分な強度が得られない。
【００２３】
ここで、中空糸の断面は円筒形であることが好ましいが、楕円形であってもよい。その場合には、本発明でいう内径とは、内側の楕円形の直径の平均値を表す。
【００２４】
・基材の材質
本発明に用いる多孔性中空糸の材質は特に限定されないが、血液浄化療法に使用されることを鑑みて、血液処理用途に用いられる公知の材質が好ましい。例えば、オレフィン系樹脂、スチレン系樹脂、スルホン系樹脂、アクリル系樹脂、ウレタン系樹脂、エステル系樹脂、エーテル系樹脂、フッ素系樹脂又はセルロース混合エステル等が挙げられ、より具体的にはポリエチレン、ポリプロピレン、ポリ−４−メチルペンテン、エチレン−ビニルアルコール共重合体、エチレンーアクリル酸共重合体、ポリスルホン、ポリエーテルスルホン、ポリメチルメタクリレート、ポリアクリロニトリル、ポリエチレンテレフタレート、ポリフッ化ビニリデン、ポリテトラフルオロエチレン、テトラフルオロエチレン−パーフルオロアルコキシエチレン共重合体等や、それらを公知の方法で混練した樹脂等を例示できる。
【００２５】
また、これら基材の内で表面が疎水性であるものは、表面親水性を得るために親水性樹脂を被覆して用いることができる。このような親水性樹脂としては、血液適合性の良い、例えば、ポリビニルピロリドン、ポリビニルアルコール、ポリエチレングリコール、エチレン−ビニルアルコール共重合体、エチレン−ビニルアルコール−酢酸ビニル共重合体、エチレン−酢酸ビニル共重合体の部分けん化物、ビニルアルコール−酢酸ビニル共重合体などのビニルアルコール共重合体を含んだもの、（メタ）アクリル酸の（共）重合体、エチレン−アクリル酸共重合体、ヒドロキシ（メタ）アクリレートの（共）重合体、２−メタクロイルオキシホスホリルコリンの（共）重合体(ＭＰＣポリマー)等が好ましく用いられる。被覆方法は特に限定されるものではないが、親水性樹脂を水混和性有機溶剤またはその水との混合溶剤に溶解してなる親水性樹脂溶液に浸漬する工程、脱液し保温する工程及び乾燥し巻取る工程により、連続的に親水化する方法が簡便であり、好ましく用いることができる。
【００２６】
・多孔性中空糸の製造方法
本発明に用いる多孔性中空糸の製造方法は、延伸開孔法、非溶媒誘起相分離法、熱誘起相分離法、溶融抽出法等の公知の技術の中から、上記材質に適した方法を適用できる。
【００２７】
・多孔性中空糸の孔径
本発明における孔径はＡＳＴＭ（米国材料試験協会）−Ｆ３１６−８６の原理に基づく平均流量孔径で定義される。細孔は必ずしも直状の管として膜を貫通している必要はなく、膜の内部で屈曲していても良い。また、幾つかの孔が膜内部で融合していたり、逆に一つの孔が枝分かれしていても良く、これらが混在していても良い。
本発明の多孔性中空糸は、血球は膜内に入らず、ウィルス粒子を膜内に捕捉するような細孔径を有する。捕捉対象がＨＣＶの場合、そのような平均流量孔径は６０ｎｍ以上１７０ｎｍ以下、好ましくは７０ｎｍ以上１５０ｎｍ以下、より好ましくは８０ｎｍ以上１３０ｎｍ以下である。
【００２８】
また、捕捉対象がＨＩＶの場合、そのような平均流量孔径は１１０ｎｍ以上２３０ｎｍ以下、好ましくは１２０ｎｍ以上１９０ｎｍ以下、より好ましくは１３０ｎｍ以上１８０ｎｍ以下である。
平均流量孔径が当該範囲以下である場合、ウィルス粒子が膜内に入り難くなるため、十分な除去性能が得られない。また、平均流量孔径が当該範囲以上では、ウィルス粒子が膜内にとどまることなく通過してしまうことから、同様に十分な除去性能が得られない。
膜の深さ方向に対する孔径、空隙分布については、均一な対称膜であっても勾配のある非対称膜であっても良いが、非対称膜の場合、ウィルスを膜内補足する観点から、疎である面が給液側であることが好ましい。また、血液浄化療法に使用されることを鑑みた場合、膜の給液側における表面孔の短軸長が１μｍ以下であると血球の詰まりがなく、良好な血漿分離を長時間維持できる。
【００２９】
・多孔性中空糸の水フラックス
本発明における透水性は界面活性剤水溶液やエチルアルコールでの親水化処理工程を経ることなく、水圧をかけて水をろ過させ、単位圧力下単位面積、単位時間の透過水量で求められる。
本発明の多孔性中空糸の水フラックスに特に制限はないが、上述の平均流量孔径を持った上で、０．０５×１０−２ｍＬ／ｃｍ２  ｍｉｎ  ｍｍＨｇ以上であると、優れた血漿透過性を持ちつつ、中空糸表面の親水性により、血漿成分中のタンパク質が中空糸に疎水吸着して孔が閉塞されるのを抑制できるため望ましい。
【００３０】
・ウィルスを含む液
本発明で対象とするウィルスを含む液は、肝炎ウィルス又はヒト免疫不全ウィルスを含む液であれば特に制限はないが、例えば、ヒトの体内液体成分である体液、ウィルスを含んだ培養液等を挙げることができる。体液のより具体的な例としては、血液、唾液、汗、尿、鼻水、精液、血漿、リンパ液、組織液等を挙げることができる。
【００３１】
・多孔性中空糸を用いた液中ウィルス除去方法
本発明の液中のウィルスを除去する方法は、ウィルス含む液を多孔性中空糸に通じることにより、肝炎ウィルス又はヒト免疫不全ウィルスを多孔性中空糸で捕捉して、肝炎ウィルス又はヒト免疫不全ウィルスを含む液から肝炎ウィルス又はヒト免疫不全ウィルスを除去することに特徴を有する。
【００３２】
本発明の多孔性中空糸を用いた方法では、ウィルスを含む液を中空糸に通じることにより、中空糸の有する孔を通過した液と、孔を通過しなかった液とが生成する。ウィルスを含む液中のウィルスの除去率の検討から、中空糸の孔を通過した液中のウィルスの除去率は好成績であり、また、代表的な血液成分であるアルブミンは除去しないことが明らかとなった。
また、中空糸の孔を通過しなかった液では、ウィルスを含む液中のウィルスの除去率は、中空糸の孔を通過した液中のウィルスの除去率より低く、多孔性中空糸の孔を通過する際にウィルスの除去の多くが起こっていることが示唆された。
【００３３】
そして、最終的に中空糸の有する孔を通過した液と、孔を通過しなかった液を混合することにより、中空糸を通じる前のウィルスを含む液からウィルスを除去することが可能となる。
また、中空糸の孔を通過した液、孔を通過しなかった液、又は中空糸の孔を通過した液と孔を通過しなかった液の混合液に、ウィルスを除去させる能力を有する他の基材を接触或いは通じることができるように設置することにより、より効率的にウィルスを除去することが可能である。このような他の基材としては、ウィルスを捕捉し除去させる機能を有するものであれば特に制限はないが、例えば、ヘパリン固定化ゲル等を挙げることができる。
【００３４】
・ウィルス除去器具の形態
本発明の多孔性中空糸を備えてなるウィルス除去器具の形態としては、前記用途に適用可能な形状であれば特に限定されるものではないが、例えば中空糸モジュールやろ過カラム、フィルターなどが挙げられる。中空糸モジュールやろ過カラムにおいて、容器の形状及び材質は特に限定されないが、体液（血液）の体外循環に適用する場合、内部容量が１０〜４００ｍＬで外径が２〜１０ｃｍ程度の筒状容器とすることが好ましく、内部容量が２０〜３００ｍＬで外径が２．５〜７ｃｍ程度の筒状容器とすることがより好ましい。図１にその一例を挙げるがこれに限らない。
【００３５】
本発明のウィルス除去器具の使用方法としては、ウィルスを含む液と接触させて肝炎ウィルス又はヒト免疫不全ウィルスを含む液中のウィルスを除去することができればいずれの方法でもよい。
【実施例】
【００３６】
以下の実施例により本発明を更に詳細に説明する。【００３７】
本実施例での各測定は以下の方法で行った。
１）平均流量孔径…膜の一方から他方に向けて貫通する孔の窄み部分の平均孔径
ＡＳＴＭ Ｆ３１６−８６およびＡＳＴＭ Ｅ１２９４−８９に準拠し、Ｐｏｒｏｕｓ  Ｍａｔｅｒｉａｌｓ，Ｉｎｃ．社製「パームポロメータＣＦＰ−２００ＡＥＸ」を用いてハーフドライ法により平均流量孔径を測定した。試液はパーフルオロポリエステル（商品名「Ｇａｌｗｉｃｋ」）を用いた。【００３８】
２）水フラックス
膜面積２．５ｃｍ２の中空糸ミニモジュールを作製し、界面活性剤水溶液やエチルアルコールでの親水化処理工程を経ることなく、０．０２から２ｋｇ／ｃｍ２の水圧をかけて水をろ過させ、単位圧力下単位面積、単位時間の透過水量で求めた。【００３９】
３）クロスフローバッチろ過による血漿からのＨＣＶ除去試験
・ＨＣＶ除去率およびＨＣＶ濃縮率
膜面積１．８ｃｍ２の中空糸モジュールを作製し、ＨＣＶ患者血漿（原液）０．６ｍＬを通液して、孔を通過した液（ろ液）０．３ｍＬ、孔を通過しなかった液（内液）０．３ｍＬを得た。検体をオーソ製ＨＣＶ抗原ＥＬＩＳＡテストで測定し、
ＨＣＶ除去率（％）＝（１−ろ液中のＨＣＶ量／原液中のＨＣＶ量）×１００
ＨＣＶ濃縮率（％）＝（内液中のＨＣＶ量／原液中のＨＣＶ量−１）×１００
を求めた。【００４０】
ＥＬＩＳＡ：検体を前処理液（ＳＤＳ）で前処理し、ＨＣＶコア抗原を遊離させると同時に共存するＨＣＶ抗体を失活させ測定試料とする。測定試料をＨＣＶコア抗原抗体固定化プレートに添加し、インキュベーションする。所定時間反応後、洗浄し、ホースラディッシュ由来ペルオキシダーゼ標識化ＨＣＶコア抗原抗体を添加し、インキュベーションする。所定時間反応後、洗浄し、ｏ−フェニレンジアミン試薬を添加し、インキュベーションする。所定時間反応後、反応停止液を添加する。４９２ｎｍの波長で発色を測光する。標品の吸光度より、濃度を算出する。【００４１】
・血漿中アルブミン透過量
検体にブロムクレゾールグリーン試薬を添加し、６３０ｎｍの波長で発色を測光する。標品の吸光度より、濃度を算出した。【００４２】
アルブミン透過率（％）＝（ろ液中のアルブミン量／原液中のアルブミン量）×１００【００４３】
４）クロスフロー循環ろ過による血液からのＨＣＶ除去試験
・モジュール作製
中空糸モジュール用ハウジングパイプ（内径３ｍｍ×外径５ｍｍ、全長２２５ｍｍ）の両端側面に血漿取り出し用のニードル（１５ゲージ２条ネジプラスチックニードル、武蔵エンジニアリング(株)製）を取り付け、多孔質中空糸膜を３７本挿入し、両端部を５分型エポキシ樹脂系接着剤（ボンドクイックセット、コニシ(株)）を用いてハウジングパイプに固定した。さらに両端部に血液流入出用コネクター（ルアーフィッティング、アイシス製）を取り付けて、有効長１５ｃｍ、有効ろ過面積５０ｃｍ２の中空糸モジュールを得た。【００４４】
・循環ろ過
健常なボランティアから採血し、血液保存液（ＣＰＤ液、クエン酸リン酸ブドウ糖液）を混合して抗凝固した血液を調製し、そこにＨＣＶ患者血漿を添加してウィルス除去能評価用の血液とした。ＨＣＶ入り血液１６ｍＬをリザーバーに入れて３７℃に加温し、中空糸モジュールに血液流量０．３３ｍＬ／分で血液を流入させ、血漿ろ過流量０．１ｍＬ／分で血漿分離を行った。中空糸モジュールから流出した血液と血漿はリザーバーに戻し、所定時間毎にリザーバー内の血液を採取してＨＣＶコアタンパク量を測定し、中空糸モジュールによるＨＣＶ除去率を下記式により算出した。
・ＨＣＶ除去率
ＨＣＶコアタンパク量の測定は、オーソＨＣＶ抗原ＥＬＩＳＡテスト（オーソ・クリニカル・ダイアグノスティックス(株)）を使用し、測定に使用する検体は、リザーバーから採取した血液を４０００ｒｐｍで５分間遠心分離した後の上清とした。ＨＣＶ除去率を下記式により算出した。【００４５】
ＨＣＶ除去率（％）＝［（Ｃｐｒｅ−Ｃｐｏｓｔ）／Ｃｐｒｅ］×１００
Ｃｐｒｅ：血漿分離前のリザーバー内のＨＣＶ濃度
Ｃｐｏｓｔ：所定時間経過後のリザーバー内のＨＣＶ濃度【００４６】
５）クロスフローバッチろ過による血漿からのＨＩＶ除去試験
・ＨＩＶ除去率およびＨＩＶ濃縮率
膜面積１．８ｃｍ２の中空糸モジュールを作製し、ＨＩＶ患者血漿（原液）０．６ｍＬを通液して、孔を通過した液（ろ液）０．３ｍＬ、孔を通過しなかった液（内液）０．３ｍＬを得た。検体中のＨＩＶ-ＲＮＡ量を、リアルタイムＰＣＲ法を応用したロシュ製コバスＴａｑＭａｎ  ＨＩＶ-１「オート」キットで測定し、
ＨＩＶ除去率（％）＝（１−ろ液中のＨＩＶ量／原液中のＨＩＶ量）×１００
ＨＩＶ濃縮率（％）＝（内液中のＨＩＶ量／原液中のＨＩＶ量−１）×１００
を求めた。  【００４７】
（実施例１）
密度０．９６８ｇ／ｃｍ３ 、メルトインデックス５．５の高密度ポリエチレン（三井石油化学工業株式会社製ＨＩＺＥＸ ２２００Ｊ）を吐出口径１６ｍｍ、円環スリット幅が２．５ｍｍ、吐出断面積が１．０６ｃｍ２ の中空糸賦型用紡糸口金を用い、紡糸温度１６０℃で紡糸し、紡糸ドラフト９９２でボビンに巻き取った。得られた未延伸中空糸の寸法は内径が４３２μｍ、膜厚が６８μｍであった。
この未延伸中空糸をボビンに巻いたまま１１５℃で２４時間、熱処理した。つづいて室温で２１４００％／ｍｉｎの変形速度で１．８倍延伸した後、１００℃の加熱炉中で変形速度が３３０％／ｍｉｎとなるように総延伸倍率が４．８倍になるまで熱延伸を行った、さらに１２５℃の加熱炉で総延伸倍率が２．８倍になるまで連続的に熱収縮を行い、延伸糸を得た。【００４８】
（実施例２）
エチレン含有率が４４％のエチレン‐ビニルアルコール共重合体を７５％エタノール水溶液に加熱溶解し、濃度２．５重量％の溶液を得た。５０℃に保温した該溶液に実施例１で得た延伸糸を１００秒間浸漬し、５０℃のエタノール飽和蒸気下で８０秒保温した後、さらに８０秒かけて溶剤を乾燥した。得られた親水化多孔性中空糸の内径は４００μｍ、膜厚は５５μｍであった。前述の試験方法にて、平均流量孔径、水フラックス、クロスフロー血漿バッチろ過によるＨＣＶ除去率、ＨＣＶ濃縮率、アルブミン透過率を評価した。
結果を表１に示す。また、クロスフロー血液循環ろ過によるＨＣＶ除去率を評価した。その結果、血漿分離開始６０分後に４６％、１２０分後には７１％のＨＣＶが除去されていた。【００４９】
（実施例３）
実施例１と同様に紡糸を行い、紡糸ドラフト１１３０、内径が３２３μｍ、膜厚が７５μｍの未延伸中空糸を得た。この未延伸中空糸を１１５℃で２４時間、熱処理した。つづいて室温で７５００％／ｍｉｎの変形速度で１．８倍延伸した後、１００℃の加熱炉中で変形速度が１８０％／ｍｉｎとなるように総延伸倍率が４．１倍になるまで熱延伸を行った、さらに１２５℃の加熱炉で総延伸倍率が２．５倍になるまで連続的に熱収縮を行い、延伸糸を得た。【００５０】
（実施例４）
実施例３で得られた延伸糸を用いた以外は実施例２と同様にして、親水化多孔性中空糸を得た。内径は２９２μｍ、膜厚は６１μｍであった。前述の試験方法にて、平均流量孔径、水フラックス、クロスフロー血漿バッチろ過によるＨＣＶ除去率、ＨＣＶ濃縮率、アルブミン透過率を評価した。
結果を表１に示す。また、クロスフロー血液循環ろ過によるＨＣＶ除去率を評価した。その結果、血漿分離開始６０分後に３０％、１２０分後には５８％のＨＣＶが除去されていた。【００５１】
（実施例５）
実施例１と同様に紡糸を行い、紡糸ドラフト１８９０、内径が３２４μｍ、膜厚が４８μｍの未延伸中空糸を得た。この未延伸中空糸を１１５℃で２４時間、熱処理した。つづいて室温で７５００％／ｍｉｎの変形速度で１．８倍延伸した後、１００℃の加熱炉中で変形速度が２２０％／ｍｉｎとなるように総延伸倍率が３．８倍になるまで熱延伸を行った、さらに１２５℃の加熱炉で総延伸倍率が２．３倍になるまで連続的に熱収縮を行い、延伸糸を得た。【００５２】
（実施例６）
実施例５で得られた延伸糸と、エチレン含有率が２９％のエチレン‐ビニルアルコール共重合体を用いた以外は実施例２と同様にして、親水化多孔性中空糸を得た。内径は２９４μｍ、膜厚は４０μｍであった。前述の試験方法にて、平均流量孔径、水フラックス、クロスフロー血漿バッチろ過によるＨＣＶ除去率、ＨＣＶ濃縮率、アルブミン透過率を評価した。結果を表１に示す。また、クロスフロー血液循環ろ過によるＨＣＶ除去率を評価した。その結果、血漿分離開始６０分後に２６％、１２０分後には４６％のＨＣＶが除去されていた。【００５３】
（実施例７）
実施例１と同様に紡糸を行い、紡糸ドラフト１７５８、内径が１６８μｍ、膜厚が７８μｍの未延伸中空糸を得た。この未延伸中空糸を１１５℃で２４時間、熱処理した。つづいて室温で７５００％／ｍｉｎの変形速度で１．８倍延伸した後、１００℃の加熱炉中で変形速度が３３０％／ｍｉｎとなるように総延伸倍率が４．８倍になるまで熱延伸を行った、さらに１２５℃の加熱炉で総延伸倍率が２．８倍になるまで連続的に熱収縮を行い、延伸糸を得た。【００５４】
（実施例８）
エチレン含有率が３８％のエチレン‐ビニルアルコール共重合体を用いた以外は実施例２と同様にして、親水化多孔性中空糸を得た。内径は１５０μｍ、膜厚は５８μｍであった。前述の試験方法にて、平均流量孔径、水フラックス、クロスフロー血漿バッチろ過によるＨＣＶ除去率、ＨＣＶ濃縮率、アルブミン透過率を評価した。
結果を表１に示す。また、クロスフロー血液循環ろ過によるＨＣＶ除去率を評価した。その結果、血漿分離開始６０分後に４０％、１２０分後には６４％のＨＣＶが除去されていた。【００５５】
（比較例１）
熱延伸工程での加熱炉温度を９０℃に変更した以外は実施例１と同様にして延伸糸を作製した。つづいて実施例２と同様に、親水化処理を行い、内径３２３μｍ、膜厚５２μｍの親水化多孔性中空糸を得た。前述の試験方法にて、平均流量孔径、水フラックス、クロスフロー血漿バッチろ過によるＨＣＶ除去率、ＨＣＶ濃縮率、アルブミン透過率を評価した。結果を表１に示す。
結果、ＨＣＶを９８％除去したが、生体の有用成分であるアルブミン透過率は６０％透過、また、ろ過されなかった血漿のＨＣＶ濃縮率は３０％であった。【００５６】
（比較例２）
実施例１と同様に紡糸を行い、紡糸ドラフト２２９４、内径が１８５μｍ、膜厚が６０μｍの未延伸中空糸を得た。この未延伸中空糸を１１５℃で２４時間、熱処理した。つづいて室温で７５００％／ｍｉｎの変形速度で１．８倍延伸した後、１１０℃の加熱炉中で変形速度が４４０％／ｍｉｎとなるように総延伸倍率が５．４倍になるまで熱延伸を行った、さらに１２５℃の加熱炉で総延伸倍率が３．２倍になるまで連続的に熱収縮を行い、延伸糸を得た。【００５７】
さらに実施例２と同様にして、親水化多孔性中空糸を得た。内径は１７３μｍ、膜厚は４０μｍであった。前述の試験方法にて、平均流量孔径、水フラックス、クロスフロー血漿バッチろ過によるＨＣＶ除去率、ＨＣＶ濃縮率、アルブミン透過率を評価した。結果を表１に示す。結果、ＨＣＶ除去率は２４％であった。生体の有用成分であるアルブミンは９７％透過した。また、ろ過されなかった血漿のＨＣＶ濃縮率は６％であった。【００５８】
（実施例９）
実施例６で得られた親水化多孔性中空糸を用い、前述の試験方法にて、クロスフロー血漿バッチろ過によるＨＩＶ除去率、ＨＩＶ濃縮率、アルブミン透過率を評価した。結果を表２に示す。【００５９】
（実施例１０）
比較例２で得られた親水化多孔性中空糸を用い、前述の試験方法にて、クロスフロー血漿バッチろ過によるＨＩＶ除去率、ＨＩＶ濃縮率、アルブミン透過率を評価した。結果を表２に示す。【００６０】
（実施例１１）
実施例１と同様に紡糸を行い、紡糸ドラフト１４２１、内径が３２１μｍ、膜厚が６２μｍの未延伸中空糸を得た。この未延伸中空糸を１１５℃で２４時間、熱処理した。つづいて室温で７５００％／ｍｉｎの変形速度で１．８倍延伸した後、１１０℃の加熱炉中で変形速度が４４０％／ｍｉｎとなるように総延伸倍率が５．４倍になるまで熱延伸を行った、さらに１２５℃の加熱炉で総延伸倍率が３．２倍になるまで連続的に熱収縮を行い、延伸糸を得た。【００６１】
（実施例１２）
実施例１１で得られた延伸糸を用いた以外は実施例２と同様にして、親水化多孔性中空糸を得た。内径は３００μｍ、膜厚は４２μｍであった。前述の試験方法にて、平均流量孔径、水フラックス、クロスフロー血漿バッチろ過によるＨＩＶ除去率、ＨＩＶ濃縮率、アルブミン透過率を評価した。結果を表２に示す。【００６２】
（実施例１３）
比較例２で得た未延伸中空糸を１１５℃で２４時間、熱処理した。つづいて室温で７５００％／ｍｉｎの変形速度で１．８倍延伸した後、１１０℃の加熱炉中で変形速度が４４０％／ｍｉｎとなるように総延伸倍率が４．７倍になるまで熱延伸を行った、さらに１２５℃の加熱炉で総延伸倍率が２．８倍になるまで連続的に熱収縮を行い、延伸糸を得た。【００６３】
（実施例１４）
実施例１４で得られた延伸糸を用いた以外は実施例２と同様にして、親水化多孔性中空糸を得た。内径は１７４μｍ、膜厚は４５μｍであった。前述の試験方法にて、平均流量孔径、水フラックス、クロスフロー血漿バッチろ過によるＨＩＶ除去率、ＨＩＶ濃縮率、アルブミン透過率を評価した。結果を表２に示す。【００６４】
（実施例１５）
実施例１と同様に紡糸を行い、紡糸ドラフト１７６２、内径が１９０μｍ、膜厚が７３μｍの未延伸中空糸を得た。この未延伸中空糸を１１５℃で２４時間、熱処理した。つづいて室温で７５００％／ｍｉｎの変形速度で１．８倍延伸した後、１１０℃の加熱炉中で変形速度が２４４％／ｍｉｎとなるように総延伸倍率が４．０倍になるまで熱延伸を行った、さらに１２５℃の加熱炉で総延伸倍率が２．４倍になるまで連続的に熱収縮を行い、延伸糸を得た。【００６５】
（実施例１６）
実施例１５で得られた延伸糸を用いた以外は実施例２と同様にして、親水化多孔性中空糸を得た。内径は１６８μｍ、膜厚は６３μｍであった。前述の試験方法にて、平均流量孔径、水フラックス、クロスフロー血漿バッチろ過によるＨＩＶ除去率、ＨＩＶ濃縮率、アルブミン透過率を評価した。結果を表２に示す。【００６６】
（実施例１７）
密度０．９６８ｇ／ｃｍ３ 、メルトインデックス５．５の高密度ポリエチレン（三井石油化学工業株式会社製ＨＩＺＥＸ ２２００Ｊ）を吐出口径２５ｍｍ、円環スリット幅が３．７５ｍｍ、吐出断面積が２．５０ｃｍ２ の中空糸賦型用紡糸口金を用い、紡糸温度１６０℃で紡糸し、紡糸ドラフト２５７８でボビンに巻き取った。得られた未延伸中空糸の寸法は内径が３３６μｍ、膜厚が７５μｍであった。
この未延伸中空糸をボビンに巻いたまま１１５℃で２４時間、熱処理した。つづいて室温で７５００％／ｍｉｎの変形速度で１．８倍延伸した後、１１０℃の加熱炉中で変形速度が２２２％／ｍｉｎとなるように総延伸倍率が３．８倍になるまで熱延伸を行った、さらに１２５℃の加熱炉で総延伸倍率が２．３倍になるまで連続的に熱収縮を行い、延伸糸を得た。【００６７】
（実施例１８）
実施例１７で得られた延伸糸を用いた以外は実施例２と同様にして、親水化多孔性中空糸を得た。内径は３０８μｍ、膜厚は５５μｍであった。前述の試験方法にて、平均流量孔径、水フラックス、クロスフロー血漿バッチろ過によるＨＩＶ除去率、ＨＩＶ濃縮率、アルブミン透過率を評価した。結果を表２に示す。【００６８】
（比較例３）
実施例４で得られた親水化多孔性中空糸を用い、前述の試験方法にて、平均流量孔径、水フラックス、クロスフロー血漿バッチろ過によるＨＩＶ除去率、ＨＩＶ濃縮率、アルブミン透過率を評価した。結果を表２に示す。結果、ＨＩＶを９９％除去したが、ろ過されなかった血漿のＨＩＶ濃縮率は３９％であった。【００６９】
（比較例４）
実施例３で得た未延伸中空糸を１１５℃で２４時間、熱処理した。つづいて室温で７５００％／ｍｉｎの変形速度で１．８倍延伸した後、１１０℃の加熱炉中で変形速度が４４０％／ｍｉｎとなるように総延伸倍率が５．４倍になるまで熱延伸を行った、さらに１２５℃の加熱炉で総延伸倍率が５．１倍になるまで連続的に熱収縮を行い、延伸糸を得た。【００７０】
さらに実施例２と同様にして、親水化多孔性中空糸を得た。内径は２６７μｍ、膜厚は５５μｍであった。前述の試験方法にて、平均流量孔径、水フラックス、クロスフロー血漿バッチろ過によるＨＩＶ除去率、ＨＩＶ濃縮率、アルブミン透過率を評価した。結果を表２に示す。結果、ＨＩＶ除去率は４２％であった。生体の有用成分であるアルブミンは９９％透過した。また、ろ過されなかった血漿のＨＩＶ濃縮率は０％であった。【００７１】
（比較例５）
実施例１で得たエチレン‐ビニルアルコール共重合体を被覆していない中空糸を用いて、血漿をろ過させないポリエチレン製中空糸のモジュールを作製し、中空糸内にＨＣＶ患者血漿を通過させた。中空糸へのＨＣＶ除去率は４％であった。
実施例２と比較例５の結果から、血漿をろ過させない中空糸を用いた場合にもＨＣＶを除去することはできなかった。【００７２】
これらの結果から、ウィルスを含む液が中空糸の有する孔を通過する際にウィルスが捕捉され除去が行われていることが示唆された。
また、本発明のウィルス除去用中空糸は、高いウィルス除去機能を有するとともに、アルブミンの透過率が高く、血液中のウィルスを高い除去率で除去できるとともに、血液成分を透過する機能が高いことが判明した。【００７３】
【表１】
2012115021.tif 000003
【００７４】
【表２】
2012115021.tif 000004
【産業上の利用可能性】
【００７５】
本発明の中空糸を用いた器具は、肝炎ウィルス等のウィルスの除去への利用が可能である。
【符号の説明】
【００７６】
１：ウィルスを含む液流入口
２：孔を通過しなかったウィルスの流出口
３：中空糸膜
４：孔を通過したウィルスの流出口
５：容器
６：隔壁
【図１】
2012115021.tif 000005
【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
平均流量孔径が、８０〜２３０ｎｍの範囲である肝炎ウィルス又はヒト免疫不全ウィルス除去用多孔性中空糸に、肝炎ウィルス又はヒト免疫不全ウィルスを含む液を通じることにより、肝炎ウィルス又はヒト免疫不全ウィルスを該多孔性中空糸で捕捉して、肝炎ウィルス又はヒト免疫不全ウィルスを含む液から肝炎ウィルス又はヒト免疫不全ウィルスを除去する器具。
【請求項２】
肝炎ウィルス又はヒト免疫不全ウィルスを含む液を肝炎ウィルス又はヒト免疫不全ウィルス除去用多孔性中空糸に通じることにより得られる、中空糸の有する孔を通過した液と、孔を通過しなかった液とを混合する工程を有する、請求項１に記載の肝炎ウィルス又はヒト免疫不全ウィルスを除去する器具。
【請求項３】
肝炎ウィルス又はヒト免疫不全ウィルスを含む液が、肝炎ウィルス又はヒト免疫不全ウィルスを含む血液である請求項１又は２に記載の肝炎ウィルス又はヒト免疫不全ウィルスを除去する器具。
【請求項４】
多孔性中空糸の平均流量孔径が８０〜１３０ｎｍの範囲である、請求項１〜３の何れかに記載の肝炎ウィルスを除去する器具。
【請求項５】
多孔性中空糸の平均流量孔径が１１０〜２３０ｎｍの範囲である、請求項１〜３の何れかに記載のヒト免疫不全ウィルスを除去する器具。
【請求項６】
肝炎ウィルス又はヒト免疫不全ウィルス除去用多孔性中空糸が、ポリオレフィン、ポリエーテルスルホン、又はセルロース混合エステルから構成されるものである請求項１〜５の何れかに記載の肝炎ウィルス又はヒト免疫不全ウィルスを除去する器具。
【請求項７】
ポリオレフィンが、ポリエチレン、ポリプロピレン、又はポリ４−メチルペンテンである請求項６に記載の肝炎ウィルス又はヒト免疫不全ウィルスを除去する器具。
【請求項８】
表面が親水性樹脂でコートされた肝炎ウィルス又はヒト免疫不全ウィルス除去用多孔性中空糸を用いる、請求項１〜７の何れかに記載の肝炎ウィルス又はヒト免疫不全ウィルスを除去する器具。
【請求項９】
親水性樹脂が、エチレン−ビニルアルコール共重合体、エチレン-アクリル酸共重合体、ポリビニルアルコール、ＭＰＣポリマーである請求項８に記載の肝炎ウィルス又はヒト免疫不全ウィルスを除去する器具。
【請求項１０】
肝炎ウィルス又はヒト免疫不全ウィルス除去用多孔性中空糸の内径が、１５０〜４００μｍの範囲である請求項１〜９の何れかに記載の肝炎ウィルス又はヒト免疫不全ウィルスを除去する器具。
【請求項１１】
肝炎ウィルス又はヒト免疫不全ウィルス除去用多孔性中空糸の膜厚が４０〜７０μｍの範囲である請求項１〜１０の何れかに記載の肝炎ウィルス又はヒト免疫不全ウィルスを除去する器具。
【請求項１２】
肝炎ウィルスが、Ｂ型又はＣ型肝炎ウィルスである、請求項１〜１１の何れかに記載の肝炎ウィルスを除去する器具。
【請求項１３】
肝炎ウィルス又はヒト免疫不全ウィルスを含む液を肝炎ウィルス又はヒト免疫不全ウィルス除去用多孔性中空糸に通じることにより得られる、該中空糸の有する孔を通過した液と、孔を通過しなかった液とを混合することにより、請求項１〜１２の何れかに記載の肝炎ウィルス又はヒト免疫不全ウィルスを除去する器具を作動する方法。
【請求項１４】
クロスフローろ過方式により肝炎ウィルス又はヒト免疫不全ウィルスを含む液を循環させる工程を有する請求項１３に記載の肝炎ウィルス又はヒト免疫不全ウィルスを除去する器具を作動する方法。
【請求項１５】
表面が親水性樹脂でコートされた肝炎ウィルス又はヒト免疫不全ウィルス除去用多孔性中空糸において、
親水性樹脂が、エチレン−ビニルアルコール共重合体、エチレン−アクリル酸共重合体、ポリビニルアルコール、ＭＰＣポリマーであり、平均流量孔径が、８０〜２３０ｎｍの範囲である請求項１〜１２のウィルスを除去する器具に用いられる肝炎ウィルス又はヒト免疫不全ウィルス除去用多孔性中空糸。
【請求項１６】
中空糸の平均流量孔径が８０〜１３０ｎｍの範囲である、請求項１５に記載の肝炎ウィルス除去用多孔性中空糸。
【請求項１７】
中空糸の平均流量孔径が１１０〜２３０ｎｍの範囲である、請求項１５に記載のヒト免疫不全ウィルス除去用多孔性中空糸。
【請求項１８】
肝炎ウィルス又はヒト免疫不全ウィルス除去用多孔性中空糸が、ポリオレフィン、ポリエーテルスルホン、又はセルロース混合エステルから構成されるものである請求項１５〜１７の何れかに記載の肝炎ウィルス又はヒト免疫不全ウィルス除去用多孔性中空糸。
【請求項１９】
ポリオレフィンが、ポリエチレン、ポリプロピレン、又はポリ４−メチルペンテンである請求項１８に記載の肝炎ウィルス又はヒト免疫不全ウィルス除去用多孔性中空糸。
【国際調査報告】
2012115021.tif 000006
2012115021.tif 000007
2012115021.tif 000008
2012115021.tif 000009
2012115021.tif 000010
2012115021.tif 000011
2012115021.tif 000012